(57)【要約】【課題】従来の遺灰を粉末化して粘土を混ぜ合わせて遺灰入り粘土玉とした核で形成した真珠と他の真珠との識別ができないことによる種々の問題点を解消することを目的とするものである。【解決手段】本発明に係る真珠の製造方法及びメモリアル真珠は、ペットの死後に火葬した遺灰をメモリアル製品の真珠に入れて製造するものであって、遺灰の中の遺骨を取り出して所要大きさに加工し、該加工した遺骨を透明材で包み込んで楕円形状または球状の遺骨入り核に形成し、該遺骨入り核をアコヤガイに入れて所要期間養殖して真珠層を形成した真珠とすることにより、真珠生産者にから出来上がった真珠を渡された時でも、例えば、１例として楕円形の真珠の形状により他の真珠との識別が明確に区別できるし、依頼したメモリアル真珠であることの認識もでき、さらに、必要があれば、Ｘ線透過により内部の遺骨が認識できるので、ペットの生前を偲びまたは癒し感が得られるものである。【選択図】図３
2020061946.tif 000002
【特許請求の範囲】
【請求項１】
ペットの死後に火葬した遺灰をメモリアル製品の真珠に入れて製造する方法であって、
遺灰の中の遺骨を取り出して所要大きさに加工し、
該加工した遺骨を透明材で包み込んで楕円形状または球状の遺骨入り核に形成し、
該遺骨入り核をアコヤガイに入れて所要期間養殖して真珠層を形成すること
を特徴とする真珠の製造方法。
【請求項２】
前記透明材で包み込まれる遺骨の外にペットの愛称を書いた表示部材等も含まれること
を特徴とする請求項１に記載の真珠の製造方法。
【請求項３】
前記透明材としては、エポキシ樹脂及び／又はガラスであること
を特徴とする請求項１乃至２に記載の真珠の製造方法。
【請求項４】
ペットの死後に火葬した遺灰をメモリアル製品の真珠に入れた真珠であって、
遺灰の中の形状が明確な遺骨を取り出して所要大きさに加工し、
該加工した遺骨を透明材で包み込んで楕円形状または球状の遺骨入り核に形成し、
該遺骨入り核をアコヤガイに入れて少なくとも１０月間養殖して核の周囲に真珠層を形成させてから取り出すこと
を特徴とするメモリアル真珠。
【発明の詳細な説明】
【技術分野】
【０００１】
本発明は、犬や猫等のペットとして飼われていた骨を真珠の中に入れた真珠の製造方法及びメモリアル真珠に関するものである。
【背景技術】
【０００２】
この種の真珠の製造方法の公知技術としては、例えば、遺灰を粉末化し、粉末化した遺灰と粘土を混ぜ合わせて遺灰入り粘土玉を作製する工程を有し、遺灰入り粘土玉を焼成処理して遺灰入りセラミック核を制作する遺灰入りセラミック核製作工程と、前記遺灰入りセラミック核製作工程で製作した遺灰入りセラミック核を入れた真珠養殖用の母貝を海中で飼養し、遺灰入りセラミック核の表面に真珠層形成して遺骨入り真珠を作る真珠養殖工程と、を有する遺骨入り真珠の製造方法、がある（特許文献1）。
【０００３】
この公知技術に係る遺骨入り真珠の製造方法によれば、遺骨入り真珠は、遺灰が遺灰入りセラミック核の中だけに含まれており、その表面には真珠層のみが現れることから、遺灰及び遺骨が直接目に触れることがない。これにより、遺骨入り真珠は、遺灰及び遺骨の見た目の生々しさなどが表れることがなく、自宅に保管することあるいはメモリアルアクセサリーとして身に着けることに抵抗を感じさせないメモリアル製品にすることができる、というものである。
【先行技術文献】
【特許文献】
【０００４】
【特許文献１】特開２０１７−２０９０２９号公開公報
【発明の概要】
【発明が解決しようとする課題】
【０００５】
前記公知技術においては、遺灰を粉末化して粘土を混ぜ合わせて遺灰入り粘土玉とし、該粘土球を焼成処理した遺灰入りセラミック核を母貝にいれてその表面に真珠層を形成したものであり、粘土玉にすることで少量の遺灰しか残らず、さらに、中身が全く確認できないので、年数が経つと必然的に生前を偲びまたは癒し感が失われてしまうばかりでなく、生産時に依頼した遺灰が入っているかどうかも不明であり、他の真珠との識別もできないという不安感も生ずるという問題点を有している。
【０００６】
本発明は、上記の問題点を解消するために、少なくともペットの遺骨の一部をそのまま透明材で封じ込めて真珠の核とし、常に生前を偲びまたは癒し感が得られるようにした真珠の製造方法及び該方法によって得られたメモリアル真珠を提供することを目的としたものである。
【課題を解決するための手段】
【０００７】
本発明の第１の発明に係る真珠の製造方法は、ペットの死後に火葬した遺灰をメモリアル製品の真珠に入れて製造する方法であって、遺灰の中の遺骨を取り出して所要大きさに加工し、該加工した遺骨を透明材で包み込んで楕円形状または球状の遺骨入り核に形成し、該遺骨入り核をアコヤガイに入れて所要期間養殖して核の周囲に真珠層を形成することを特徴とするものである。
【０００８】
上記真珠の製造方法の発明において、前記透明材で包み込まれる遺骨の外にペットの愛称を書いた表示部材も含まれること；及び前記透明材としては、エポキシ樹脂及び／又はガラスであること、を付加的な要件として含むものである。
【０００９】
また、本発明の第２の発明に係るメモリアル真珠は、ペットの死後に火葬した遺灰をメモリアル製品の真珠に入れた真珠であって、遺灰の中の形状が明確な遺骨を取り出して所要大きさに加工し、該加工した遺骨を透明材で包み込んで楕円形状または球状の遺骨入り核に形成し、該遺骨入り核をアコヤガイに入れて所要期間養殖して核の周囲に真珠層を形成させてから取り出してメモリアル真珠を形成したものである。
【発明の効果】
【００１０】
本発明に係る真珠の製造方法及びメモリアル真珠によれば、ペットの遺骨を透明材で包み込んで楕円形状または球状の核としたものであり、これに真珠層が形成された真珠であることから、特に、真円でなく楕円形または歪形状の真珠であれば、真珠生産者から出来上がった真珠を渡された時でも、他の真珠との識別が明確に区別でき、必要があればＸ線透過により遺骨の存在が確認でき、依頼したメモリアル真珠であることの認識もできるので、ペットの生前を偲びまたは癒し感が得られるという優れた効果を奏する。
【図面の簡単な説明】
【００１１】
【図１】本発明に係る真珠の製造方法に適用されるペットの遺骨を拡大して示した平面図である。
【図２】同ペットの遺骨を所要大きさに加工して第１の実施の形態に係る透明材で包み込んで遺骨入りの核を形成する状態における３段階の順次重ね塗布状態を説明するための例を示した平面図である。
【図３】同ペットの遺骨入り核をアコヤガイに入れて真珠層を形成させたメモリアル真珠を一例としてネックレスにした状態の要部のみを示した正面図である。
【図４】同ペットの遺骨を第２の実施の形態に係る遺骨入りの核を形成する状態を示す正面図である。
【図５】同第２の実施の形態に係る遺骨入りの核を形成する順序を示した説明図である。
【図６】同ペットの遺骨を第３の実施の形態に係る遺骨入りの核を型枠で形成する状態を示す正面図である。
【図７】同第３の実施の形態に係る遺骨入りの核を形成した後、型枠を除去する１例を示した正面図である。
【発明を実施するための最良の形態】
【００１２】
次に本発明を図示の具体的な実施の形態に基づいて詳しく説明する。図１〜３は、第１の実施の形態を示すものであり、例えば、家族同然に飼っていたペットの死後に、ペットを火葬して遺灰中に残った形状が明確な骨（以下遺骨という）の一部（複数）を取り出してメモリアル製品に加工するものであり、取り出した遺骨の大きさは、好ましくは、長さが８ｍｍ未満のものを選択するのであるが、多少大きくても、その後の加工時に成形することができる。例えば、図１に示したように、ペットの足の先端側の関節間の遺骨１は、犬と猫とでは多少異なるが、長くても１２〜１５ｍｍ程度である。
【００１３】
前記した関節間の遺骨１を、図２に示したように、一方の側の関節端を残して８ｍｍ程度の長さにカットし、該カットした遺骨１の周囲を透明材、例えば、所要の粘性と流動性があり短時間で硬化する性質の透明なエポキシ樹脂材２で包み込むのである。この場合に、遺骨１のイメージを残した形状に全体を包み込めば、遺骨１入りの核としてアコヤガイに入れて使用することができるが、核として多くの凹凸があると、核入れする段階で技術を要するし、核入れができたにしても、真珠層の形成時に成功することもあるが失敗することが多いのである。そこで、好ましくは、エポキシ樹脂材２が付着しない非接着性能（フッ素樹脂皮膜加工）を有する板の上に遺骨１を載置し、その遺骨１の上に所要量のエポキシ樹脂材２を滴下させ、遺骨１との間に空気層ができないように且つ集中（積）しないように、転動させながら塗装（コーティング）を行って破線ａで示した所要厚みの一次塗装膜を形成する。この一次塗装膜ａは、数時間の間に流動しない状態になるので、一次塗装膜ａの上にさらに所要量のエポキシ樹脂材２を滴下し、転動させながら所要厚さの二次塗膜ｂを形成する。または、エポキシ樹脂が付着しないシリコン樹脂で型を形成し、該型により好みの形状や大きさ、例えば、楕円形状等に形成する。
【００１４】
前記二次塗膜ｂを形成した状態では、全体が略楕円形状の玉であり、長さが概ね９．５〜１０ｍｍ程度で、中央部の径が概ね６ｍｍ程度であるが、この状態でエポキシ樹脂材２が硬化した状態になれば、表面に凹凸のない滑面になっているので、遺骨１入りの核としてアコヤガイに入れて楕円形の遺骨１入り真珠を作ることができる。しかしながら、どうしても真珠をイメージして円形状の玉にしたいのであれば、さらに二次塗装膜ｂの上にも所要量のエポキシ樹脂材２を滴下し、転動させながら仮想線ｃで示した所要大きさ（長さが略１０ｍｍで中央部の径が略９．５ｍｍ程度）の三次塗膜ｃを形成することができる。この場合の転動は円弧の玉を作る要領で行うので、円形に近い遺骨１入りの核となり、これをアコヤガイに入れて所要期間養殖（少なくとも１０ヶ月程度）することにより表面に真珠層（０．０５ｍｍ程度）が形成され、楕円形または円形に近い遺骨１入り真珠３を作ることができる。
【００１５】
そして、アコヤガイから取り出した遺骨１入り真珠３は、図３に示したように、適宜の連結部材４を取り付けて、ペンダントにしたり、イヤリングにしてメモリアルアクセサリーとして身に付けたりすることができるばかりでなく、適宜の装飾架台を設置してメモリアル品として室内に保管することもできるのである。
【００１６】
次に、第２の実施の形態について、図４と図５とを用いて説明する。
この実施の形態においては、遺骨１を包み込む透明材として中空で透明なガラス玉５とエポキシ樹脂材２を使用するのである。この場合に使用されるガラス玉５の径は概ね１０ｍｍであり、そのガラス玉５の一部（約１．５ｍｍ）を水平に切り取って開口部を形成し、該開口部から内部に透明なエポキシ樹脂材２を所要量（８分目程度）充填してから、遺骨１をピンセットでつまんで中央部に位置するようにゆっくりと挿着すると、先に充填したエポキシ樹脂材２が開口部周辺まで盛り上がるようになる。この状態で、切り落としたガラス片５ａを開口部に被せることによりガラス片５ａが一体化されて元通りの球形の遺骨１入りの核が形成され、エポキシ樹脂材２が硬化した後に、前記したようにアコヤガイに核入れて養殖することができるのである。
【００１７】
なお、ガラス片５ａを被せるときにエポキシ樹脂材２の量が少ないようであれば、その時に追加すれば良いし、多目であればガラス片５ａを被せた時に、ガラス玉５の外部へ益出するので硬化した後に削り取ればよい。また、ガラス片５ａが破損したり、または最初から無かった場合には、エポキシ樹脂材２を盛り上げて全体を球形に成型すればよいのであり、いずれにしても、ガラス面及びエポキシ樹脂材２の面には、真珠層が形成されるので、略球形の遺骨１入りの真珠が得られるのである。なお、ガラス玉として、例えば、トンボ玉も使用することができる。  
【００１８】
さらに、第３の実施の形態について、図６と図７とを用いて説明する。
この実施の形態においては、一種の型枠を使用して楕円形または球形の遺骨入り核を形成することができるのである。即ち、図６に示したように、型枠として薬に使用されているゼラチンカプセルの半体を使用し、該カプセル８は、例えば、内径が約１０ｍｍで長さ（高さ）が１５ｍｍ程度の大きさのものであって、その中に遺骨１と一緒にペットの愛称７などを書いた短冊紙（表示部材）６も入れることができる。この場合でも、好ましくは、先にカプセル８内に所要量のエポキシ樹脂材２を先に注入（充填）し、後から短冊紙（表示部材）６と遺骨１とを所要の間隔をもって挿着するようにした方が良い。この場合の所要量は、カプセル８の下端部から高さ方向に８ｍｍを超えない程度に充填する。
【００１９】
この実施例の場合は、図７に示したように、カプセル８と注入される粘性のある透明なエポキシ樹脂材２との接触面の付着性が良いので、遺骨１と短冊紙６の挿着によって中央部が盛り上がり、全体として楕円形になり易いのである。そして、エポキシ樹脂材２が硬化した後において、型枠として使用したカプセル８の開口部の一部を底部方向にカットし、両側に引き裂くようにして内部で硬化したエポキシ樹脂材２から引き剥して脱型するか、または５０℃程度のお湯に浸すことによりカプセル（ゼラチン）８を溶かして脱型させて、遺骨１と表示部材（短冊紙）６入りの核が形成され、その後、上面側のエポキシ樹脂材２の部分を円弧状に削り取ったりして成型し、この遺骨１と表示部材６入りの核を、前記実施例と同様にアコヤガイに核入れして養殖することにより、核の外周面に真珠層を形成させた真珠３が得られるのである。
【産業上の利用可能性】
【００２０】
本発明に係る真珠の製造方法及びメモリアル真珠は、ペットの死後に火葬した遺灰をメモリアル製品の真珠に入れて製造するものであって、遺灰の中の遺骨１を取り出して所要大きさに加工し、該加工した遺骨１を透明材で包み込んで楕円形状または球状の遺骨入り核に形成し、該遺骨入り核をアコヤガイに入れて所要期間（少なくとも１０ヶ月間）養殖して真珠３に形成することにより、ペットの生前を偲びまたは癒し感が得られるばかりでなく、真珠生産者から出来上がった真珠３を渡された時でも、楕円形の真珠であれば他の真珠との識別が区別でき、さらに、依頼したメモリアル真珠３であることの認識もできるものである。なお、本発明では、例えば、遺骨１と一緒にペットの愛称を書いた表示部材６も入れることができ、さらに、核形成時に遺骨１ばかりでなく被毛なども一緒に入れることができるし、もし、可能であれば、飼い主又は元飼い主だった人の頭髪等も一緒に入れることができるので、より一層愛着が湧くのである。
【符号の説明】
【００２１】
１  遺骨
２  エポキシ樹脂
３  真珠
４  連結部材
５ａ  ガラス片
５  中空のガラス玉
６  表示部材
７  愛称
８  カプセル
【図１】
2020061946.tif 000003
【図２】
2020061946.tif 000004
【図３】
2020061946.tif 000005
【図４】
2020061946.tif 000006
【図５】
2020061946.tif 000007
【図６】
2020061946.tif 000008
【図７】
2020061946.tif 000009